(57)【要約】【課題】  浴槽に形成される貫通孔からの漏水を確実に検知することができる漏水検知構造を提供する。【解決手段】  本発明は、浴槽３の外面に取り付けられ、浴槽３に形成されている貫通孔３ａからの漏水を受け止める水受容器７と、浴槽３に隣接する洗い場５と水受容器７とを連結し、水受容器７に貯まった貫通孔３ａからの漏水を洗い場５まで流すホース９（管部材）と、ホース９内を通過する漏水により洗い場５まで移動可能である漏水検知部材１１（移動部材）とを備えることを特徴とする。【選択図】    図２
2007313110.tif 000002
【特許請求の範囲】
【請求項１】
浴槽の外面に取り付けられ、前記浴槽に形成されている貫通孔からの漏水を受け止める水受容器と、
前記浴槽に隣接する洗い場と前記水受容器とを連結し、前記水受容器に貯まった前記貫通孔からの前記漏水を前記洗い場まで流す管部材と、
前記管部材内を通過する前記漏水により前記洗い場まで移動可能である移動部材と
を備えることを特徴とする漏水検知構造。
【請求項２】
前記移動部材は、前記洗い場と前記管部材との連結部分に配置されることを特徴とする請求項１に記載の漏水検知構造。
【請求項３】
前記移動部材は、樹脂により形成されていることを特徴とする請求項１又は請求項２に記載の漏水検知構造。
【請求項４】
前記移動部材は、水性接着剤により固定されていることを特徴とする請求項１乃至請求項３のいずれか１項に記載の漏水検知構造。
【発明の詳細な説明】
【技術分野】
【０００１】
本発明は、浴槽に形成されている貫通孔からの漏水を検知する漏水検知構造に関する。
【背景技術】
【０００２】
近年、浴槽には、お湯が冷めた際に再び沸かすことが可能な追い焚き用アダプターが取り付けられている。この浴槽には、追い焚き用アダプターが固定される貫通孔が形成される。このため、貫通孔からの漏水を受け止める水受容器（いわゆる、水受パン）は、両面テープやシリコンなどのシール剤によって浴槽の外面に取り付けられている（例えば、特許文献１参照）。
【０００３】
この水受容器の側面には、該水受容器に貯まった漏水を浴槽に隣接する洗い場など流すホースが取り付けられている。つまり、水受容器に貯まった漏水は、該ホースを通過して浴槽に隣接する洗い場などに流れることとなる。
【特許文献１】特開２０００−８８３５７号公報（第２−４頁、第１図）
【発明の開示】
【発明が解決しようとする課題】
【０００４】
しかしながら、上述した従来の構造では、水受容器に貯まった貫通孔からの漏水が洗い場などに流れるが、この漏水の量によっては（少な過ぎると）、検知することができないという問題があった。特に、洗い場でのシャワー等の使用時（すなわち、洗い場が水・湯で塗れている際）においては、水受容器に貯まった漏水が洗い場に流れても漏水を検知しずらいという問題があった。
【０００５】
そこで、本発明は、このような問題に鑑みてなされたものであり、浴槽に形成される貫通孔からの漏水を確実に検知することができる漏水検知構造を提供することを目的とする。
【課題を解決するための手段】
【０００６】
上述した課題を解決するため、本発明は、次のような特徴を有している。まず、本発明の第１の特徴に係る発明は、浴槽の外面に取り付けられ、浴槽に形成されている貫通孔からの漏水を受け止める水受容器と、浴槽に隣接する洗い場と水受容器とを連結し、水受容器に貯まった貫通孔からの漏水を洗い場まで流す管部材と、管部材内を通過する漏水により洗い場まで移動可能である移動部材とを備えることを要旨とする。
【０００７】
ここで、洗い場とは、浴槽に隣接する身体等を洗うことが可能な場所であるものとして説明するが、必ずしも身体等を洗うことが可能な場所とは限らず、浴槽に隣接しており、かつ浴槽に形成されている貫通孔からの漏水を放出することが可能な場所であればよい。
【０００８】
かかる特徴によれば、管部材内を通過する漏水により洗い場まで移動可能である移動部材を備えることによって、移動部材が洗い場に移動した（流れ落ちた）ことを目視することができるため、浴槽に形成される貫通孔からの漏水を確実に検知することができる。
【０００９】
特に、洗い場でのシャワー等の使用時（すなわち、洗い場が水・湯で塗れている際）においても、移動部材が洗い場に移動した（流れ落ちた）ことを目視することができるため、浴槽に形成される貫通孔からの漏水を確実に検知することができる。
【００１０】
本発明の第２の特徴に係る発明は、移動部材が、洗い場と管部材との連結部分に配置されることを要旨とする。
【００１１】
本発明の第３の特徴に係る発明は、移動部材が、樹脂により形成されていることを要旨とする。
【００１２】
本発明の第４の特徴に係る発明は、移動部材が、水性接着剤により固定されていることを要旨とする。なお、水性接着剤とは、水・湯等の液体（すなわち、水受容器に貯まった貫通孔からの漏水）により溶ける接着剤を示す。
【発明の効果】
【００１３】
本発明によれば、浴槽に形成される貫通孔からの漏水を確実に検知することができる漏水検知構造を提供することができる。
【発明を実施するための最良の形態】
【００１４】
以下、本実施の形態に係る漏水検知構造の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００１５】
図１は、本実施の形態に係る漏水検知構造１が設けられている浴室を示す斜視図であり、図２は、本実施の形態に係る漏水検知構造１を示す断面図（図１におけるＡ−Ａ断面図）である。
【００１６】
なお、各図面では、浴槽３とこの浴槽３に隣接する洗い場５とが一体に形成される浴室ユニットであるが、必ずしも浴室ユニットである必要はなく、浴槽３と洗い場５とが別体で形成される浴室であっても勿論よい。
【００１７】
図１及び図２に示すように、漏水検知構造１は、浴槽３内のお湯が冷めた際に再び沸かすことが可能な追い焚き用アダプター（不図示）が固定される貫通孔３ａの下側に配置されている。この漏水検知構造１は、水受容器７（いわゆる、水受パン）と、管部材（以下、ホース９）と、移動部材（以下、漏水検知部材１１）によって構成されている。
【００１８】
水受容器７は、浴槽３の外面にシール剤等（例えば、両面テープやシリコン）により取り付けられ、浴槽３に形成されている貫通孔３ａからの漏水を受け止めるものである。この水受容器７は、ＡＢＳ樹脂やポリスチレン（ＰＳ）などの樹脂（いわゆる、スチレン系プラスチック材料）により形成されている。
【００１９】
具体的には、水受容器７は、上面が開口した箱状に形成されている。また、水受容器７における洗い場５側の面には、ホース９が取り付けられるホース孔７ａが形成されている。
【００２０】
ホース９は、浴槽３に隣接する洗い場５と水受容器７とを連結し、水受容器７に貯まった貫通孔３ａからの漏水を洗い場まで流す（排水する）ものである。すなわち、ホース９は、水受容器７のホース孔７ａと、洗い場５の側壁に設けられるホース孔５ａとを連結している。このホース９は、シリコンや塩化ビニルなどの樹脂により形成されている。
【００２１】
漏水検知部材１１は、ホース９内を通過する漏水により洗い場５まで移動可能であり、洗い場５に移動することで漏水を検知させるものである。この漏水検知部材１１は、ＦＲＰやＡＢＳ樹脂などの樹脂により形成されている。特に、漏水検知部材１１は、洗い場５の側壁と同じ材質により形成されていることが好ましい。
【００２２】
具体的には、漏水検知部材１１は、洗い場５とホース９との連結部分に配置されている。この漏水検知部材１１は、洗い場５の側壁に設けられるホース孔５ａの蓋の役割を果たすために、洗い場５の側面に形成されているホース孔５ａと同一形状を有している。
【００２３】
また、漏水検知部材１１は、水受容器７側に面取りが施されている。また、漏水検知部材１１は、水性接着剤１１ａ（例えば、アクリル系水溶性接着材やでんぷんのり等の水溶性のり）によりホース９の下側に固定されている。なお、洗い場５の側壁に設けられるホース９の端部は、漏水検知部材１１を落ちやすくさせるために、洗い場５側に向けて傾斜して広がっている。
【００２４】
このため、漏水検知部材１１は、ホース９内を通過する漏水により水性接着剤１１ａが溶けてしまうと、ホース孔５ａから外れる（流れ落ちる）ため、ホース９内を通過する漏水とともに洗い場５に流れ落ちる。
【００２５】
（作用・効果）
以上説明した本実施の形態に係る漏水検知構造１によれば、漏水検知部材１１が洗い場５に移動した（流れ落ちた）ことを目視することができるため、浴槽３に形成される貫通孔３ａからの漏水を確実に検知することができる。
【００２６】
具体的には、水受容器７に貯まった漏水を洗い場５に流す際に、この漏水に色を着色して洗い場５に流すことによって、漏水を検知させることも考えられる。しかし、洗い場５でのシャワー等の使用時において、この色が着色された漏水がシャワー等の水・湯とともに流れきってしまうと、漏水を検知することができないことがある。
【００２７】
このため、本実施の形態に係る漏水検知構造１によれば、洗い場５でのシャワー等の使用時（すなわち、洗い場５が水・湯で塗れている際）においても、漏水検知部材１１が洗い場５に移動した（流れ落ちた）ことを目視することができるため、浴槽３に形成される貫通孔３ａからの漏水を確実に検知することができる。
【００２８】
この漏水検知部材１１は、洗い場５とホース９との連結部分に配置される（すなわち、ホース孔５ａの蓋の役割を果たしている）ことによって、ホース９内を通過する漏水により水性接着剤１１ａが溶けてしまうと、ホース孔５ａから外れてホース９内を通過する漏水とともに洗い場５に流れ落ち、浴槽３に形成される貫通孔３ａからの漏水を確実に検知することができ、かつ、洗い場５の側壁に設けられるホース孔５ａの蓋の役割を果たすことができるため、美観を損ねることがない。
【００２９】
［その他の実施の形態］
上述したように、実施の形態を通じて本発明の内容を開示したが、この開示の一部をなす論述及び図面は、本発明を限定するものであると理解すべきではない。
【００３０】
例えば、漏水検知部材１１は、洗い場５の側面に形成されているホース孔５ａと同一形状を有しているものとして説明したが、これに限定されるものではなく、図３に示すように、ホース孔５ａと異なる形状を有していても（すなわち、ホース孔５ａの蓋の役割を果たさなくても）勿論よい。
【００３１】
また、漏水検知部材１１は、樹脂により形成されているものとして説明したが、これに限定されるものではなく、例えば、ビニルやアルミ等の樹脂、紙などの水に溶けない物質であってもよい。
【００３２】
また、漏水検知部材１１は、洗い場５とホース９との連結部分に配置されているものとして説明したが、これに限定されるものではなく、例えば、図４に示すように、水受容器７とホース９との連結部分や、図５に示すように、ホース９内の中間部分に配置されるものであっても勿論よい。
【００３３】
さらに、漏水検知部材１１は、洗い場５に移動する（流れ落ちる）ことで漏水を検知させるものとして説明したが、これに限定されるものではなく、文字等（例えば、“漏水発生”）が記入されている漏水検知部材１１が洗い場５に移動することに加えて、この文字等により漏水を検知させるものであっても勿論よい。
【００３４】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００３５】
【図１】本実施の形態に係る漏水検知構造が設けられている浴室を示す斜視図である。
【図２】本実施の形態に係る漏水検知構造を示す断面図（図１におけるＡ−Ａ断面図）である。
【図３】その他の実施の形態に係る漏水検知構造を示す断面図である（その１）。
【図４】その他の実施の形態に係る漏水検知構造を示す断面図である（その２）。
【図５】その他の実施の形態に係る漏水検知構造を示す断面図である（その３）。
【符号の説明】
【００３６】
１…漏水検知構造
３…浴槽
３ａ…貫通孔
５…洗い場
５ａ…ホース孔
７…水受容器
７ａ…ホース孔
９…ホース
１１…漏水検知部材
１１ａ…水性接着剤
【図１】
2007313110.tif 000003
【図２】
2007313110.tif 000004
【図３】
2007313110.tif 000005
【図４】
2007313110.tif 000006
【図５】
2007313110.tif 000007